(57)【要約】      （修正有）【課題】ランナーを確実に型外に排出するスリープレート射出成形金型を提供する。【解決手段】ランナープレート２５の少なくとも一部を覆うカバー３５と、カバー３５が型開き方向と直角方向に進退する構造をもつ固定側型板２３とを具備し、金型の型開き時にランナー３２がランナーエジェクタ２８によって押し出される直前に、カバー３５がランナープレート２５の少なくとも一部を覆うことで、ランナーエジェクタ２８で押し出されたランナー３２がカバー３５に当たり、ランナープレート２５に再び挿入されることなく確実に型外に排出される。【選択図】図２
2008246806.tif 000002
【特許請求の範囲】
【請求項１】
可動側型板と固定側型板とランナーストリッパプレートとを有するスリープレート射出成形金型において、前記ランナーストリッパプレートに対向する前記固定側型板の面に設けたランナープレートの少なくとも一部を覆うカバーを前記固定側型板に設け、前記カバーが型開き方向と直角方向に進退する手段を前記固定側型板に具備することを特徴とするスリープレート射出成形金型
【請求項２】
スリープレート射出成形金型の型開き時に、固定側型板とランナーストリッパプレートが離間し、可動側型板と前記固定側型板が離間し、さらに前記ランナーストリッパプレートおよびランナーエジェクタによってランナーを押し出す直前に、前記固定側型板に設けたカバーが前記ランナーストリッパプレートに対向するランナープレートの少なくも一部を覆うように進退することを特徴とする射出成形方法。
【発明の詳細な説明】
【技術分野】
【０００１】
本発明は、スリープレート射出成形金型および射出成形方法に関し、射出成形金型のランナー取り出し機構、特にピンポイントゲート方式金型の成形ランナーを型から自動的に取り出す技術に係るものである。
【背景技術】
【０００２】
図４および図５は従来の成形金型の断面図であり、ランナー取り出し機構を示している。図４および図５において、１００は可動側取付け板、１０１は固定側取付け板、１０２は可動側型板、１０３は固定側型板、１０４はランナーストリッパプレート、１０５はランナープレート、１０６はスプリング、１０７はランナーエジェクタピン、１０８はランナーエジェクタ、１０９はランナーロックピン、１１０はスプル、１１１はスプルブシュ、１１２はランナー、１１３ａ、ｂは引っ張りリンク、１１４はプラーボルトを示している。
【０００３】
図４（ａ）に示すように、可動側取付け板１００に装着した可動側型板１０２は、固定側取付け板１０１に装着した固定側型板１０３と引っ張りリンク１１３ａを介して連結しており、固定側型板１０３は引っ張りリンク１１３ｂを介してランナーストリッパプレート１０４と連結している。
【０００４】
ランナーストリッパプレート１０４および固定側型板１０３は固定側取付け板１０１にプラーボルト１１４を介して連結しており、ランナーストリッパプレート１０４は固定側取付け板１０１と当接離間し、固定側型板１０３がランナーストリッパプレート１０４と当接離間し、可動側型板１０２が固定側型板１０３と当接離間する。
【０００５】
固定側取付け板１０１は、複数個のランナーロックピン１０９と、ランナーエジェクタピン１０７およびスプリング１０６からなる複数個のランナーエジェクタ１０８と、スプル１１０を有するスプルブシュ１１１とを備えている。
【０００６】
この構成により、可動側型板１０２と固定側型板１０３とを接合させて型締めし、スプル１１０を通して型内のキャビティーヘ溶融樹脂を充填して樹脂成形する。図４（ｂ）に示すように、成形後に可動側型板１０２が型開き方向へ後退し、可動側型板１０２が引っ張りリンク１１３ａを介して固定側型板１０３を引き出し、固定側型板１０３が引っ張りリンク１１３ｂを介してランナーストリッパプレート１０４を引き出してランナーストリッパプレート１０４が固定側取付け板１０１から離間する。
【０００７】
上述した作用において、ランナーストリッパプレート１０４が固定側取付け板１０１から離間することによって、ランナー１１２をスプル１１０から離間させるとともに、ランナーエジェクタ１０８でランナー１１２を型開き方向に押し出す。
【０００８】
このように、従来のランナー取り出し機構では、ランナー１１２をランナーストリッパプレート１０４から取り出す時に、ランナー１１２を型開き方向と全く同方向に取り出していたので、ランナーエジェクタピン１０７に内蔵されたスプリング１０６の力により押し出すランナー１１２が、図５に示すように、相対向する固定側型板１０３に形成した樹脂流路内のランナープレート１０５へ再び挿入されることがあり、自動成形を不可能にする問題が発生した。
【０００９】
上記問題を改善するランナー取り出し機構として、ランナーを型開き方向に対して一定の角度を有する傾斜姿勢で成形金型の外に取り出すものが、例えば、特許文献１に開示されている。この従来の成形金型のランナー取り出し機構の動作説明図を図６に示す。図６において基本的な構成は図４および図５に示すものと同様であり、同符号を付して説明を省略する。
【００１０】
このランナー取り出し機構は、固定側取付け板１０１に複数個のランナーロックピン１０９を設け、各ランナーロックピン１０９に成形金型の型開き方向において相異する長さのランナー保持部を設けたものである。
【００１１】
この構成により、ランナーロックピン１０９でランナー１１２をロックし、スプリング１０６の押圧力がランナーエジェクタピン１０７を介してランナー１１２へ作用する状態において、ランナーストリッパプレート１０４が型開き方向へ移動してランナー１１２を押し出すと、ランナーロックピン１０９がランナー１１２をリリースし、ランナーエジェクタピン１０７を介してランナー１１２に作用するスプリング１０６の押圧力でランナー１１２が型開き方向へ飛び出る。この際に、各ランナーロックピン１０９のランナー保持部の長さが成形金型の型開き方向において相異するので、ランナーロックピン１０９とランナー１１２とのロック解除のタイミングにずれが生じて、ランナー１１２が型開き方向に対して一定角度をなす方向へ飛び出す。
【特許文献１】特開昭６３−３０７９２０号公報
【発明の開示】
【発明が解決しようとする課題】
【００１２】
しかしながら、上述した従来の構成においては、ランナー１１２が型開き方向に対して一定角度なす方向へ飛び出すので、片方のランナーロックピン１０９のロックが解除されずに引っ掛かかるとランナー１１２の姿勢が設定以上に傾斜してランナー１１２がスプル１１０から抜けづらくなり、稀にランナー１１２がスプル１１０から抜けなくなる事象が発生するという課題を有していた。
【００１３】
また、ランナーロックピン１０９が磨耗してくると、ランナー１１２がランナーロックピン１０９から抜ける時の抵抗が弱まり、ランナー１１２が型開き方向に対して一定角度なす方向へ飛び出すことなく、飛び出したランナー１１２が相対する向かい側の金型のランナープレート１０５へ再び挿入される事象が生じる場合がある。ランナー１１２がランナープレート１０５に挿入されると、型締めセンサーが異常を検知して自動成形作業を継続することが不可能となり、長時間にわたって安定して生産することができず、稼働率が落ちるという課題を有していた。
【００１４】
本発明は、上記の課題を解決するものであり、ランナーストリッパプレートにより押し出されるランナーが、相対向する成形金型のランナープレートへ再び挿入されることをなくして、長時間にわたり安定した生産を行うことが可能なスリープレート射出成形金型を提供することを目的とする。
【課題を解決するための手段】
【００１５】
上記の課題を解決するために、本発明のスリープレート射出成形金型は、可動側型板と固定側型板とランナーストリッパプレートとを有するスリープレート射出成形金型において、前記ランナーストリッパプレートに対向する前記固定側型板の面に設けたランナープレートの少なくとも一部を覆うカバーを前記固定側型板に設け、前記カバーが型開き方向と直角方向に進退する手段を前記固定側型板に具備することを特徴とする。
【００１６】
また、本発明の射出成形方法は、スリープレート射出成形金型の型開き時に、固定側型板とランナーストリッパプレートが離間し、可動側型板と前記固定側型板が離間し、さらに前記ランナーストリッパプレートおよびランナーエジェクタによってランナーを押し出す直前に、前記固定側型板に設けたカバーが前記ランナーストリッパプレートに対向するランナープレートの少なくも一部を覆うように進退することを特徴とする。
【発明の効果】
【００１７】
以上のように、本発明によれば、固定側型板に設けたカバーが、ランナープレートの少なくとも一部を覆うように進退するので、ランナーエジェクタによって押し出すランナーがカバーに当たることで、ランナープレートに再び挿入されることなく確実に型外に排出され、かつランナーはまっすぐに押し出されるのでスプルから抜けづらくなる等の不具合は生じず、射出成形機の安定した長時間の生産が可能になる。
【発明を実施するための最良の形態】
【００１８】
以下本発明の実施の形態について、図面を参照しながら説明する。
（実施の形態１）
図１は本発明の実施の形態１におけるスリープレート射出成形金型の型閉め状態を示す断面図であり、図２は同スリープレート射出成形金型の型開き状態を示す断面図である。図３はランナープレートに対向して配置するカバーを示す平面図である。
【００１９】
図１〜図３において、２０は可動側取付け板、２１は固定側取付け板、２２は可動側型板、２３は固定側型板、２４はランナーストリッパプレート、２５はランナープレート、２６はスプリング、２７はランナーエジェクタピン、２８はランナーエジェクタ、２９はランナーロックピン、３０はスプル、３１はスプルブシュ、３２はランナー、３３ａ、３３ｂは引っ張りリンク、３４はプラーボルト、３５はランナープレート２５の一部又は全てを覆うカバーを示している。
【００２０】
図１〜図３に示すように、可動側取付け板２０に装着した可動側型板２２は、固定側取付け板２１に装着した固定側型板２３と引っ張りリンク３３ａを介して連結しており、固定側型板２３は引っ張りリンク３３ｂを介してランナーストリッパプレート２４と連結している。
【００２１】
固定側型板２３、ランナーストリッパプレート２４は固定側取付け板２１にプラーボルト３４を介して連結しており、ランナーストリッパプレート２４は固定側取付け板２１と当接離間し、固定側型板２３がランナーストリッパプレート２４と当接離間し、可動側型板２２が固定側型板２３と当接離間する。
【００２２】
固定側取付け板２１は、複数個のランナーロックピン２９と、ランナーエジェクタピン２７およびスプリング２６からなる複数個のランナーエジェクタ２８と、スプル３０を有するスプルブシュ３１とを備えている。
【００２３】
さらに、固定側型板２３はランナーストリッパプレート２４に対向する面にカバー３５を備えており、カバー３５がランナープレート２５の少なくとも一部を覆っている。固定側型板２３はカバー３５が固定側型板２３の移動に連動して型開き方向と直角方向に進退するリンク機構等の作動手段を備えている。
【００２４】
上記の構成により、金型の型開きストロークが始まるとまず可動側型板２２が後退し可動側型板２２が引っ張りリンク３３ａを介して固定側型板２３を引き出し、ランナーストリッパプレート２４と固定側型板２３との間が開く。ランナーストリッパプレート２４と固定側型板２３が開いた時点では、ランナー３２は固定側取付け板２１に設けられたランナーロックピン２９の働きによってランナーストリッパプレート２４に保持されている。  
【００２５】
次に、可動側型板２２がさらに後退して引っ張りリンク３３ａを介して固定側型板２３を引っ張り、固定側型板２３が引っ張りリンク３３ｂを介してランナーストリッパプレート２４を引き出し、ランナーストリッパプレート２４が固定側取付け板２１から離間し、ランナー３２がランナーロックピン２９からリリースされるとともにスプル３０が引き抜かれ、ランナーエジェクタ２８のスプリング２６の力によりランナー３２が勢いよく押し出される。
【００２６】
このとき、金型が完全に型開きしてランナー３２がランナーエジェクタ２８によって押し出される直前に、固定側型板２３に設けたカバー３５がランナープレート２５の少なくとも一部を覆うように進退する。
【００２７】
この固定側型板２３に設けたカバー３５がランナープレート２５の少なくとも一部を覆うことで、ランナーエジェクタ２８によって押しだされたランナー３２がカバー３５に当たって確実に型外に排出される。このため、ランナーエジェクタ２８によって押しだされたランナー３２が再びランナープレート２５に挿入される心配は一切なく、かつランナー３２は型開き方向へまっすぐに押し出されるため、ランナー３２がスプル３０から抜けづらくなる等の不具合は生じない。
【００２８】
また、型締め時においてカバー３５はランナープレート２５を全く覆うことなくランナープレート２５よりも外側に退避するので射出成形の邪魔にならない。
【産業上の利用可能性】
【００２９】
本発明によれば、ランナーがスプルから抜けなくなる等の不良を発生させることなく、ランナーを確実に型外に排出するので、安定して長時間の製造を実現できる。また、成形作業の自動化を確立し、生産性の向上をはかるばかりではなく、トラブルによる型の破損を防止することができるので、スリープレート射出成形金型に有用である。
【図面の簡単な説明】
【００３０】
【図１】本発明の実施の形態におけるスリープレート射出成形金型の型閉じ断面図
【図２】同実施の形態におけるスリープレート射出成形金型の型開き断面図
【図３】同実施の形態におけるカバーを示す平面図
【図４】従来のランナー取り出し機構を示す金型断面図
【図５】従来のランナー取り出し機構を示す金型断面図
【図６】従来のランナー取り出し機構を示す金型断面図
【符号の説明】
【００３１】
２０  可動側取付け板
２１  固定側取付け板
２２  可動側型板
２３  固定側型板
２４  ランナーストリッパプレート
２５  ランナープレート
２６  スプリング
２７  ランナーエジェクタピン
２８  ランナーエジェクタ
２９  ランナーロックピン
３０  スプル
３１  スプルブシュ
３２  ランナー
３３ａ、ｂ  引っ張りリンク
３４  プラーボルト
３５  カバー
１００  可動側取付け板
１０１  固定側取付け板
１０２  可動側型板
１０３  固定側型板
１０４  ランナーストリッパプレート
１０５  ランナープレート
１０６  スプリング
１０７  ランナーエジェクタピン
１０８  ランナーエジェクタ
１０９  ランナーロックピン
１１０  スプル
１１１  スプルブシュ
１１２  ランナー
１１３ａ、ｂ  引っ張りリンク
１１４  プラーボルト
【図１】
2008246806.tif 000003
【図２】
2008246806.tif 000004
【図３】
2008246806.tif 000005
【図４】
2008246806.tif 000006
【図５】
2008246806.tif 000007
【図６】
2008246806.tif 000008